(57)【特許請求の範囲】
【請求項１】
矩形状底板１の互いに対向する各辺に二重側壁部を備え、前記各二重側壁部を前記底板１面に対して起立及び折畳可能にした簡易組立二重側壁容器において、
矩形状底板１の互いに対向する各辺に折目ａ、ｂ、ｃ、ｄを介して連設した一対の外側板２、内側板３と、一対の外側板４、内側板５とを備え、前記一対の外側板４の両側に、折目ｅを介して連設した台形部６ａと前記矩形状底板１の各々角隅部相当部より折目ｅに対して４５°角度方向の傾斜折目ｇを介して連設した三角形部６ｂとにより構成される折込フラップ６、６を備え、前記一対の内側板５の両側に折目ｆを介して連設した前記台形部６ａと対称形の折込フラップ７、７を備え、少なくとも前記底板１の幅Ｗと、前記一対の対向する外側板４、内側板５の幅Ｄと、前記各々台形部６ａの高さＢとの関係が、
Ｂ＜Ｗ／２＜Ｄ＜Ｗ・・・・・（１）
Ｂ＋Ｄ≒Ｗ・・・・・・・・・（２）
上記式（１）及び式（２）を満たす簡易組立二重側壁容器であって、
前記折目ｄを介して内側板５が外側板４上に及び前記フラップ７が台形部６ａ上にそれぞれ折り重ねられ、前記傾斜折目ｇを介して前記三角形部６ｂがフラップ７を挟んで台形部６ａ上に折り重ねられ、続いて前記折目ｃを介して各々外側板４が底板１上に折り重ねられた後、前記三角形部６ｂが、前記一対の外側板２上に重ね合わせられて貼着されており、
幅Ｗの底板１上に折り重ねられた幅Ｄの対向する一対の外側板４と内側板５は、その対向端部である各々折目ｄ、ｄのうちの一方の折目ｄの端部が、他方の折目ｄの端部の上側に、所定のオーバーラップ幅Ｌ≒２Ｄ−Ｗで互いに重ね合わせられ、
また、同一外側板２上に貼着された対向する三角形部６ｂ、６ｂの対向離間距離Ｋは、
Ｋ≒２Ｄ−Ｗ≒Ｌ・・・・・・（３）
であり、
前記一対の外側板４と前記一対の外側板２とを、底板１より立ち起こし、前記一対の内側板３を折目ｂを介して前記外側板２内側に折り返して形成されていることを特徴とする簡易組立二重側壁容器。
【請求項２】
前記一対の内側板３外端部に係止突起３ａを備え、前記底板１の折目ａに沿って係止孔８を備え、前記一対の外側板２を立ち起こした後、前記一対の内側板３を折目ｂを介して外側板２内側に折り返した際に前記係止突起３ａを係止孔８に嵌合することにより、前記一対の内側板３が底板１に係止されている請求項１記載の簡易組立二重側壁容器。
【請求項３】
前記一対の内側板３の両側に突出する係止突起３ｂ、３ｂを備え、前記一対の内側板５外端角隅部と、該内側板５の両側に折目ｆを介して連設した前記折込フラップ７の前記外端角隅部に隣接する部分とに亘って、該内側板５外端縁部に対して平行方向と直角方向とに切り込み形成された切込部ｈ、ｈを備える請求項１記載の簡易組立二重側壁容器。
【請求項４】
前記一対の内側板３の両側に突出する係止突起３ｂ、３ｂと、該内側板３外端部に折目ｉを介して連設した底圧板３ｃを備え、前記一対の内側板５外端角隅部と、該内側板５の両側に折目ｆを介して連設した前記折込フラップ７の前記外端角隅部に隣接する部分とに亘って、該内側板５外端縁部に対して平行方向と直角方向とに切り込み形成された切込部ｈ、ｈを備える請求項１記載の簡易組立二重側壁容器。
【発明の詳細な説明】
【０００１】
【産業上の利用分野】
本発明は、二重側壁板を備えた組立容易な簡易組立二重側壁容器に関する。
【０００２】
【従来の技術】
従来の二重側壁板を備えた組立容器としては、図６の展開図（ブランク）〜図８に示すようなものがある。
【０００３】
例えば、図６の容器ブランクシートＡに示すように、矩形状底板１（長方形状又は正方形状など）の互いに対向する各辺に折目ａ、ｃを介して連設した一対の外側板２、２及び外側板４、４と、該外側板２、２の外側に折目ｂを介して連設した内側板３、３と、該外側板４、４の外側に、折目ｄを介して連設した内側板５、５を備えている。
【０００４】
前記一対の外側板４の両側に折目ｅを介して連設した折込フラップ６、６は、前記底板１の各々角隅部相当部より折目ｅに対して４５°角度の傾斜折目ｇにて二分する三角形部６ａと台形部６ｂとにより構成されている。
【０００５】
また、前記一対の内側板５の両側に折目ｆを介して連設した折込フラップ７、７は、前記三角形部６ａと折目ｄに対して概略線対称形に概略三角形状に形成され、前記一対の外側板４上に内側板５を折目ｄを介して、その両側の折込フラップ６、７とともに折り重ね、続いて前記各々折込フラップ６の台形部６ｂを傾斜折目ｇを介して各々折込フラップ７上に折り重ね、続いて折り重ねた前記各々外側板４、内側板５を折目ｃを介して底板１上に折り重ねることにより、前記台形部６ｂを前記一対の外側板２上に重ね合わせて貼着し、前記一対の外側板４と内側板５とを底板１より立ち起こすことにより前記一対の外側板２を立ち起こし、前記一対の内側板３を、折目ｂを介して外側板２内側に折り返して形成されている。
【０００６】
上記ブランクシートＡから二重側壁容器を組み立てるには、まず、図７（ａ）に示すように前記一対の内側板５、５を、その両側の各々折込フラップ７、７、７、７とともに折目ｄを介して前記一対の外側板４、４上に折り重ね、その両側の前記各々折込フラップ７を、前記各々折込フラップ６、６、６、６のそれぞれ三角形部６ａ上に折り重ねる。
【０００７】
続いて、図７（ｂ）、前記各々折込フラップ６のそれぞれ台形部６ｂ、６ｂ、６ｂ、６ｂをそれぞれ傾斜折目ｇを介して、各々三角形部６ａ上に折り曲げて、それぞれ折込フラップ７、７、７、７上に折り重ね合わせる。これによって前記各々折込フラップ７、７、７、７は、各々折込フラップ６の三角形部６ａと台形部６ｂとによって挟み込まれる。
【０００８】
続いて、図７（ｃ）、底板１の対向辺の外側に折り重ねられている前記一対の外側板４と内側板５とを、折目ｃを介して底板１上に折り重ねることにより、前記各々台形部６ｂを前記一対の外側板２上に重ね合わせる。そして重ね合わされた前記外側板２と台形部６ａとを、互いにその重ね合わせ内面にて接着剤などにより貼着する。又は、ホッチキスなどによって接合する。
【０００９】
その後、図８（ａ）、前記一対の外側板４と内側板５とを底板１より立ち起こすとともに、その両側の台形部６ｂにて接続している前記一対の外側板２、２を立ち起こす。
【００１０】
その後、図８（ｂ）、前記一対の外側板２の外側にあるそれぞれ内側板３、３を折目ｂを介して各々外側板２、２内側及び各々外側板２、２内側の三角形部６ａと台形部６ｂ上に前記折込フラップ７を挟み込むようにして折り重ねて固定することにより容易に二重側壁容器が形成される。
【００１１】
上記のような容易に組み立て可能な二重側壁をもった容器は、一般的に板紙、段ボールなどのシート材料を用いて形成され、また、板紙、段ボールなどに合成樹脂をコーティングしたもの、あるいは合成樹脂フィルム（又はシート）を貼り合わせものなどが使用されて、耐水性、防水性、撥水性、あるいは耐久性などを配慮して製造されている。
【００１２】
また上記組立容器は、時として１ｍｍ以上の厚さのシート材料を使用する場合があり、組立作業にかなりの負担が掛かるものであり、このような組立作業の負荷を軽減化するためにも、容器本体の構造は、通常は運搬や保管などに便利なように偏平に折り畳まれていて、嵩をとらない構造であることが望ましく、容器本体への物品の収納、包装、運搬、出荷時には、直ちに容器として使用できる状態となることが望ましい。
【００１３】
【発明が解決しようとする課題】
このように、図６〜図８に示された容易に組み立て可能な従来の二重側壁容器は、前記各々折込フラップ６の三角形部６ａと台形部６ｂとが各々折目ｅ、ｆ、傾斜折目ｇを介して内方に折り込まれ、前記二重側壁部がそれぞれ折目ａ、ｃを介して底板１より折り立てられ、重ね合わせた前記三角形部６ａ、台形部６ｂが前記一対の外側板２と内側板３との間に挟持されて形成されるものである。
【００１４】
ところで、図６に示す底板１の幅Ｗと内外側板４、５の幅Ｄ（容器の深さ）との関係が、
Ｄ＜Ｗ／２
であって、しかも底板１の幅Ｗが内外側板４、５の幅Ｄ（容器の深さ）に対して十分に大きい場合には、図７（ｃ）に示すようにそれぞれ同一外側板２上に対向して折り重ねられた台形部６ｂ、６ｂを三角形部６ａより張り出した部分（矩形部分）が中央で重ならない範囲で、その張出矩形部分を十分長く設定することができる。
【００１５】
しかしながら、容器の深さをより深く設定するために、例えば容器の内外側板４、５の幅Ｄを底板１の幅Ｗに対して、
Ｗ／２＜Ｄ＜Ｗ
に設定することは、図７（ｃ）において底板１上に折り重ねられる一対の対向する内外側板４、５の折目ｄ、ｄ側の端部が、互いにオーバーラップしてしまうため、図６に示すように三角形部６ａと台形部６ｂとの間の傾斜折目ｇを、折目ｅに対して４５°の角度を保持した状態で、内外側板４、５の幅Ｄ（容器の深さ）を、底板１の幅Ｗに対してより大きく設定できる限界は
Ｄ＝Ｗ／２  又は、Ｄ≒Ｗ／２
までが限度であって、従来は内外側板４、５の幅Ｄを、
Ｄ＞Ｗ／２
に設定して容器の深さをより深くすることはほとんど不可能であった。
【００１６】
本発明は、上記のような紙を主体とする材料シートにより形成される組立容易な簡易組立二重側壁容器容器において、内外側板の幅を、底板の幅の１／２以上乃至底板の幅未満に設定できるようにして、より深さのある簡易組立二重側壁容器容器を作成できるようにすることにある。
【００１７】
【課題を解決するための手段】
本発明は矩形状底板１の互いに対向する各辺に二重側壁部を備え、前記各二重側壁部を前記底板１面に対して起立及び折畳可能にした簡易組立二重側壁容器において、
矩形状底板１の互いに対向する各辺に折目ａ、ｂ、ｃ、ｄを介して連設した一対の外側板２、内側板３と、一対の外側板４、内側板５とを備え、前記一対の外側板４の両側に、折目ｅを介して連設した台形部６ａと前記矩形状底板１の各々角隅部相当部より折目ｅに対して４５°角度方向の傾斜折目ｇを介して連設した三角形部６ｂとにより構成される折込フラップ６、６を備え、前記一対の内側板５の両側に折目ｆを介して連設した前記台形部６ａと対称形の折込フラップ７、７を備え、少なくとも前記底板１の幅Ｗと、前記一対の対向する外側板４、内側板５の幅Ｄと、前記各々台形部６ａの高さＢとの関係が、
Ｂ＜Ｗ／２＜Ｄ＜Ｗ・・・・・（１）
Ｂ＋Ｄ≒Ｗ・・・・・・・・・（２）
上記式（１）及び式（２）を満たす簡易組立二重側壁容器であって、
前記折目ｄを介して内側板５が外側板４上に及び前記フラップ７が台形部６ａ上にそれぞれ折り重ねられ、前記傾斜折目ｇを介して前記三角形部６ｂがフラップ７を挟んで台形部６ａ上に折り重ねられ、続いて前記折目ｃを介して各々外側板４が底板１上に折り重ねられた後、前記三角形部６ｂが、前記一対の外側板２上に重ね合わせられて貼着されており、
幅Ｗの底板１上に折り重ねられた幅Ｄの対向する一対の外側板４と内側板５は、その対向端部である各々折目ｄ、ｄのうちの一方の折目ｄの端部が、他方の折目ｄの端部の上側に、所定のオーバーラップ幅Ｌ≒２Ｄ−Ｗで互いに重ね合わせられ、
また、同一外側板２上に貼着された対向する三角形部６ｂ、６ｂの対向離間距離Ｋは、
Ｋ≒２Ｄ−Ｗ≒Ｌ・・・・・・（３）
であり、
前記一対の外側板４と前記一対の外側板２とを、底板１より立ち起こし、前記一対の内側板３を折目ｂを介して前記外側板２内側に折り返して形成されていることを特徴とする簡易組立二重側壁容器である。
【００１８】
また本発明は、上記発明の簡易組立二重側壁容器において、前記一対の内側板３外端部に係止突起３ａを備え、前記底板１の折目ａに沿って係止孔８を備え、前記一対の外側板２を立ち起こした後、前記一対の内側板３を、折目ｂを介して外側板２内側に折り返した際に、前記係止突起３ａを係止孔８に嵌合することにより、前記一対の内側板３が底板１に係止されている簡易組立二重側壁容器である。
【００１９】
また本発明は、上記発明の簡易組立二重側壁容器において、前記一対の内側板３の両側に突出する係止突起３ｂ、３ｂを備え、前記一対の内側板５外端角隅部と、該内側板５の両側に折目ｆを介して連設した前記折込フラップ７の前記外端角隅部に隣接する部分とに亘って、該内側板５外端縁部に対して平行方向と直角方向とに切り込み形成された、切込部ｈ、ｈを備える簡易組立二重側壁容器である。
【００２０】
また本発明は、上記発明の簡易組立二重側壁容器において、前記一対の内側板３の両側に突出する係止突起３ｂ、３ｂと、該内側板３外端部に折目ｉを介して連設した底圧板３ｃを備え、前記一対の内側板５外端角隅部と、該内側板５の両側に折目ｆを介して連設した前記折込フラップ７の前記外端角隅部に隣接する部分とに亘って、該内側板５外端縁部に対して平行方向と直角方向とに切り込み形成された切込部ｈ、ｈを備える簡易組立二重側壁容器である。
【００２１】
【発明の実施の形態】
本発明の簡易組立二重側壁容器を、以下実施の形態に従って詳細に説明する。図１の容器ブランクシートＡに示すように、矩形状底板１（長方形状又は正方形状など）の互いに対向する各辺に、それぞれ折目ａ、ｃを介して連設した一対の外側板２、２及び外側板４、４と、該外側板２、２の外側に折目ｂを介して連設した内側板３、３と、該外側板４、４の外側に折目ｄを介して連設した内側板５、５とを備え、各々外側板４の両側には折目ｅを介して連設した折込フラップ６を備え、各々内側板５の両側には折目ｆを介して連設した折込フラップ７を備えている。なお、前記各々折目ｂ、ｄは、それぞれ１本の折目線によって形成されていてもよいし、近接する２本の平行折目線によって形成されていてもよい。
【００２２】
前記一対の外側板４の両側に折目ｅを介して連設した折込フラップ６、６は、前記底板１の各々角隅部相当部より折目ｅに対してθ＝４５°角度の傾斜折目ｇにて二分される台形部６ａと三角形部６ｂとにより構成され、前記一対の内側板５の両側に折目ｆを介して連設した折込フラップ７、７は、折目ｄを対称中心線として前記三角形部６ｂに対して線対称形になっている。
【００２３】
また、本発明の簡易組立二重側壁容器のブランクシートＡは、図１に示すように前記底板１の幅をＷ、前記一対の対向する外側板４と内側板５及び対向する一対の外側板２と内側板３のそれぞれ幅をＤ、前記各台形部６ａの高さをＢとしたとき、下記関係式▲１▼及び式▲２▼を満たすように設定されているものである。
Ｂ＜Ｗ／２＜Ｄ＜Ｗ・・・・・▲１▼
Ｂ＋Ｄ≒Ｗ・・・・・・・・・▲２▼
【００２４】
本発明の簡易組立二重側壁容器は、図１に示した上記ブランクシートＡを、図２〜図３に示すように順に組み立てて形成されるものである。
【００２５】
まず、図２（ａ）に示すように、上記ブランクシートの一対の内側板５、５を折目ｄを介してそれぞれ外側板４、４上に矢印のように折り重ねて、その重ね合わせ内面を必要に応じて接着剤（例えばホットメルト接着剤、溶剤揮散型接着剤など）にて貼着し又は金具（ホッチキスなど）にて接合し、続いて、図２（ｂ）に示すように、前記各々折込フラップ６のそれぞれ三角形部６ｂ、６ｂ、６ｂ、６ｂを、それぞれ傾斜折目ｇを介して各々台形部６ａ上に折り曲げて重ね合わせる。
【００２６】
続いて、図２（ｃ）に示すように、底板１の対向辺の外側に折り重ねられている前記一対の外側板４と内側板５とを、折目ｃを介して底板１上に折り重ねることにより、前記各々三角形部６ｂを前記一対の外側板２上に重ね合わせ、そして重ね合わされた前記外側板２と台形部６ａとを、互いにその重ね合わせ内面にて接着剤（接着糊）などにより貼着する。又はホッチキスなどによって接合する。
【００２７】
図２（ｃ）に示すように幅Ｗの底板１上に折り重ねられた幅Ｄの対向する一対の外側板４と内側板５は、上記関係式▲１▼からＷ／２＜Ｄ＜Ｗであるので、その対向端部である各々折目ｄ、ｄのうちの一方の折目ｄの端部が、他方の折目ｄの端部の上側に、所定のオーバーラップ幅、
Ｌ≒２Ｄ−Ｗ
で互いに重ね合わせられる。
【００２８】
また、同一外側板２上に貼着された対向する三角形部６ｂ、６ｂの対向離間距離Ｋは、
Ｋ＝Ｄ−Ｂ  又は、Ｋ≒Ｄ−Ｂ
であり、関係式▲２▼からＢ≒Ｗ−Ｄ（Ｂ＝Ｗ−Ｄを含む）であるので、
Ｋ≒２Ｄ−Ｗ≒Ｌ・・・・・・▲３▼
となる。
【００２９】
その後、同図３（ａ）に示すように、前記一対の外側板４と内側板５とを底板１より垂直に立ち起こすとともに、その両側の三角形部６ｂにて接続している前記一対の外側板２、２を垂直に立ち起こす。
【００３０】
その際、台形部６ａは外側板２の内面に密着して重ね合わせられるが、関係式▲３▼からＫ≒Ｌであるので、台形部６ａの上辺と外側板２の上辺とは互いに平行に同一高さで密着して重ね合わせられる。
【００３１】
その後、図３（ｂ）に示すように、前記一対の外側板２の外側にあるそれぞれ内側板３、３を、折目ｂを介して各々外側板２、２内面に折り込み、前記台形部６ａと三角形部６ｂ上に折り重ねて固定することにより、簡易組立二重側壁容器が形成される。
【００３２】
なお、内側板３、３の係止固定方式は、本発明においては特に限定されるものではないが、例えば図示するように、内側板３の突起部３ａを折目ａに沿って切り込んだ切込部８内に差し込むことにより固定することができる。
【００３３】
また、内側板３、３の係止固定方式は、図４の他の実施の形態におけるブランクシートＡに示すように、前記一対の内側板３の両側に突出する係止突起３ｂ、３ｂを備え、前記一対の内側板５外端角隅部と、該内側板５の両側に折目ｆを介して連設した前記折込フラップ７の前記外端角隅部に隣接する部分とに亘って、該内側板５外端縁部に対して平行方向と直角方向とに切り込み形成された切込部ｈ、ｈを備え、このブランクシートＡを上記のようにして組み立てた後、その内側板３の両側にあるそれぞれ突起部３ｂを切込部ｈ内に差し込むことにより固定することができる。
【００３４】
また、内側板３、３の係止固定方式は、その他に、図５の他の実施の形態におけるブランクシートＡに示すように、前記一対の内側板３の両側に突出する係止突起３ｂ、３ｂと、該内側板３外端部に折目ｉを介して連設した底圧板３ｃを備え、前記一対の内側板５外端角隅部と、該内側板５の両側に折目ｆを介して連設した前記折込フラップ７の前記外端角隅部に隣接する部分とに亘って、該内側板５外端縁部に対して平行方向と直角方向とに切り込み形成された切込部ｈ、ｈを備え、このブランクシートＡを上記のようにして組み立てた後、その内側板３に連設した底圧板３ｃを底面板１上に押し付けるようにするとともに、その内側板３の両側にあるそれぞれ突起部３ｂを切込部ｈ内に差し込むことにより固定することができる。
【００３５】
【作用】
本発明の簡易組立二重側壁容器は、矩形状底板１の対向する辺に設けた一対の外側板２と内側板３、及び他の対向する辺に設けた一対の外側板４と内側板５とにより形成される二重側壁部を該底板１面に対してワンタッチで起立させて、前記内側板２、５を外側板２、４のそれぞれ内面に折り込み重ね合わせて係合固定することにより容易に組み立てできる。
【００３６】
また、前記外側板２、４内面に折り込み重ね合わせられたそれぞれ内側板３、５を、該外側板２、４内面より外方に離反させて重ね合わせを解除することにより、前記一対の外側板４と内側板５とによる二重側壁部を該底板１面上に倒して簡単に平坦に折り畳むことができる。
【００３７】
そして、本発明の簡易組立二重側壁容器は、底板１の幅をＷ、対向する一対の外側板４と内側板５及び対向する一対の外側板２と内側板３のそれぞれ幅をＤ、各々折込フラップ６の各台形部６ａの高さをＢとしたとき、下記関係式、
Ｂ＜Ｗ／２＜Ｄ＜Ｗ・・・・・▲１▼
Ｂ＋Ｄ≒Ｗ・・・・・・・・・▲２▼
を満たすようにプランクシートＡが設定されている。
【００３８】
特に上記関係式から、各々略矩形状の折込フラップ６領域内に４５°傾斜折目ｇを介して二分された台形部６ａの台形高さＢ≒Ｗ−Ｄと直角二等辺の三角形部６ｂの直角辺の長さ（Ｂ≒Ｗ−Ｄに相当する）は、共に少なくとも、
Ｂ＜Ｗ／２
となる。
【００３９】
また前記三角形部６ｂは、必ずしも直角二等辺三角形でなくてもよく、その場合にも、各々折込フラップ６領域内に４５°傾斜折目ｇを介して二分された台形部６ａの台形高さＢ≒Ｗ−Ｄと、三角形部６ｂの各辺のうち傾斜折目ｇに沿う辺以外の辺の長さ（Ｂ≒Ｗ−Ｄ未満）は、共に少なくとも、
Ｂ＜Ｗ／２
となる。
【００４０】
よって、同一外側板２上に貼着される各折込フラップ６の三角形部６ｂ、６ｂは、同一外側板２上に互いに重合せずに貼着でき、二重側壁容器の深さ（内外側板２、３、４、５の幅）Ｄを、底板１の幅Ｗの１／２以上乃至底板１の幅Ｗ未満に設定して、従来の簡易二重側壁容器よりも深さを持たせた容積率の大きい簡易組立二重側壁容器を製造することができる。
【００４１】
【発明の効果】
本発明の簡易組立二重側壁容器は、底板の幅に対して、二重側壁容器の深さを１／２以上乃至底板１の幅Ｗ未満に設定した容積率の大きい簡易組立二重側壁容器の製造に効果的であるとともに、板紙、段ボールなどのシート材料、また、必要に応じて１ｍｍ以上の厚さのシート材料、また、板紙、段ボールなどに、ポリエチレン、ポリプロピレン、ポリエチレンテレフタレート、ポリウレタン、ポリカーボネートなどの熱可塑性樹脂あるいはフッ素樹脂など熱硬化性樹脂などの合成樹脂をコーティングしたもの、あるいは、これらの合成樹脂フィルム（又はシート）を貼り合わせたシート材料を用いて、耐水性、防水性、撥水性、あるいは耐久性のある組立容器として製造でき、通常は運搬や保管などに便利なように偏平に折り畳むことができて嵩をとらない構造であり、容器本体への物品の収納や包装、あるいは運搬、出荷時には、直ちに矩形状底板より側板など側壁部を立ち起こして、その起立状態が戻らないように固定でき、二重側壁をもった容器の組み立て作業の負荷が軽減できる効果がある。
【図面の簡単な説明】
【図１】本発明の簡易組立二重側壁容器のブランクシートを示す平面図である。
【図２】（ａ）〜（ｃ）は本発明の簡易組立二重側壁容器の組み立て順序を示す斜視図である。
【図３】（ａ）〜（ｂ）は本発明の簡易組立二重側壁容器の組み立て順序を示す斜視図である。
【図４】本発明の簡易組立二重側壁容器の他の実施の形態におけるブランクシートを示す平面図である。
【図５】本発明の簡易組立二重側壁容器のその他の実施の形態におけるブランクシートを示す平面図である。
【図６】従来の簡易組立二重側壁容器のブランクシートを示す平面図である。
【図７】（ａ）〜（ｃ）は従来の簡易組立二重側壁容器の組み立て順序を示す斜視図である。
【図８】（ａ）〜（ｂ）は従来の簡易組立二重側壁容器の組み立て順序を示す斜視図である。
【符号の説明】
Ａ…ブランクシート  Ｂ…折込フラップ長さ  Ｄ…側板幅
Ｌ…オーバーラップ幅  Ｗ…底板幅
ａ〜ｆ…折目  ｇ…４５°傾斜折目
１…底板  ２…外側板  ３…内側板  ３ａ…係止突起  ４…外側板  ５…内側板６…折込フラップ  ６ａ…台形部  ６ｂ…三角形部  ７…折込フラップ
８…係止孔
【図１】
0004069483.tif 000002
【図２】
0004069483.tif 000003
【図３】
0004069483.tif 000004
【図４】
0004069483.tif 000005
【図５】
0004069483.tif 000006
【図６】
0004069483.tif 000007
【図７】
0004069483.tif 000008
【図８】
0004069483.tif 000009